(57)【要約】      （修正有）【課題】利用者による運搬の負担を減らし、安全性を向上するとともに、清掃能力を好適に発揮することが可能な清掃体を提供する。【解決手段】清掃体１０は、布状の本体部と、本体部の表面又は内部に設けられる、アルコールを含有する洗浄液が封入された洗浄液封入体と、を備え、長尺形状を呈する清掃体が架設される一対のリール３、４と、一対のリール間において、清掃体を湾曲させるヘッド６と、を備える【選択図】図１
2020012936.tif 000002
【特許請求の範囲】
【請求項１】
布状の本体部と、
前記本体部の表面又は内部に設けられる、アルコールを含有する洗浄液が封入された洗浄液封入体と、
を備えることを特徴とする清掃体。
【請求項２】
請求項１に記載の清掃体を備える清掃装置であって、
長尺形状を呈する前記清掃体が架設される一対のリールと、
前記一対のリール間において、前記清掃体を湾曲させるヘッドと、
を備えることを特徴とする清掃装置。
【発明の詳細な説明】
【技術分野】
【０００１】
本発明は、清掃体及び清掃装置に関する。
【背景技術】
【０００２】
光ファイバを結合する際には、光ファイバの端面を清掃する必要がある。ここで、光ファイバの端面に固着物が付着している場合には、布等で光ファイバの端面を拭くだけでは清掃力が不十分である。
【０００３】
特許文献１には、光ファイバを一対の清掃テープで挟み込み、洗浄用溶剤を供給しながら清掃テープを繰り出すことによって光ファイバを清掃する装置が記載されている。
【先行技術文献】
【特許文献】
【０００４】
【特許文献１】特開平７−２８７１２４号公報
【発明の概要】
【発明が解決しようとする課題】
【０００５】
特許文献１に記載の装置では、アルコール等によって構成される洗浄用溶剤が収容された容器を用意する必要がある。そのため、利用者は、装置と別体のアルコール用容器とをそれぞれ運搬することとなり、荷物が増えてしまう。また、アルコールは危険物に相当するため、利用者が持ち歩くにはハードルが高い。
【０００６】
本発明は、前記した点に鑑みて創案されたものであり、利用者による運搬の負担を減らし、安全性を向上するとともに、清掃能力を好適に発揮することが可能な清掃体及び清掃装置を提供することを課題とする。
【課題を解決するための手段】
【０００７】
前記課題を解決するため、本発明の清掃体は、布状の本体部と、前記本体部の表面又は内部に設けられる、アルコールを含有する洗浄液が封入された洗浄液封入体と、を備えることを特徴とする。
【０００８】
かかる構成によると、アルコールを含有する洗浄液が洗浄液封入体として布状の本体部に設けられて一体化しているので、アルコールの気化を防止するとともに、アルコールを別途運搬する必要を無くすことができる。また、運搬時等に利用者がアルコールに触れることがなくなるので、安全性を向上することができる。また、清掃時には、アルコールを含有する洗浄液が洗浄液封入体から出て本体部に浸み込むので、清掃能力を好適に発揮することができる。
【０００９】
また、本発明の清掃装置は、前記清掃体を備える清掃装置であって、長尺形状を呈する前記清掃体が架設される一対のリールと、前記一対のリール間において、前記清掃体を湾曲させるヘッドと、を備えることを特徴とする。
【００１０】
かかる構成によると、ヘッドが清掃体を湾曲させて対象物に押し付けることによってアルコールを含有する洗浄液を本体部に浸み込ませるので、利用者にアルコールが付着することを防止し、清掃能力をより好適に発揮することができる。
【発明の効果】
【００１１】
本発明によれば、利用者による運搬の負担を減らし、安全性を向上するとともに、好適な清掃能力を発揮することができる。
【図面の簡単な説明】
【００１２】
【図１】本発明の実施形態に係る清掃装置を模式的に示す断面図である。
【図２】本発明の実施形態に係る清掃装置のヘッド及び清掃体を模式的に示す斜視図である。
【図３】本発明の実施形態に係る清掃装置の使用例を模式的に示す側面図である。
【図４】本発明の実施形態に係る清掃装置の別の例を模式的に示す側面図である。
【発明を実施するための形態】
【００１３】
本発明の実施形態に係る清掃装置について、適宜図面を参照しながら詳細に説明する。
【００１４】
＜清掃装置＞
図１に示すように、本発明の実施形態に係る清掃装置１は、対象物Ｘの表面（例えば、光ファイバの端面）を清掃するための装置である。清掃装置１は、筐体２と、一対のリール３，４と、複数のガイド部５ａ，５ｂと、ヘッド６と、長尺形状を呈する（テープ状の）清掃体１０と、を備える。
【００１５】
≪筐体≫
筐体２は、リール３，４及び複数のガイド部５ａ，５ｂを収容する。筐体２において、リール３，４の回転軸と平行な側壁部には、開口部２ａ，２ｂが形成されている。
【００１６】
≪リール（未使用側）≫
リール３の外周面には、清掃体１０の一端側（未使用側）が巻回されている。リール３は、筐体２内において、清掃体１０が当該リール３から引き出される方向に回転可能に設けられている。
【００１７】
≪リール（使用済側）≫
リール４の外周面には、清掃体１０の他端側（使用済側）が巻回されている。リール４は、筐体２内において、清掃体１０が当該リール４に巻き取られる方向に回転可能に設けられている。
【００１８】
≪ガイド部≫
複数のガイド部５ａ，５ｂは、当該ガイド部５ａ，５ｂの外周面に当接する清掃体１０の進行方向を変えるためのものである。ガイド部５ａは、筐体２内において、リール３から引き出された清掃体１０を開口部２ａへ向かう方向へガイドするように設けられた円柱体である。ガイド部５ｂは、筐体２内において、開口部２ｂから筐体２内に導入された清掃体１０をリール４へ向かう方向へガイドするように設けられた円柱体又は円筒体である。なお、ガイド部５ａ，５ｂは、清掃体１０を進行させる方向へ回転可能なローラであってもよい。
【００１９】
≪ヘッド≫
ヘッド６は、筐体２の側壁部において、開口部２ａ，２ｂ間に設けられている凸部である。ヘッド６の先端面には、清掃体１０が長手方向に移動可能に設けられている。すなわち、ヘッド６は、一対のリール３，４間において、清掃体１０を湾曲させる。ヘッド６の開口部２ａ近傍には、当該ヘッド６の先端面の幅方向両端部から立設される一対の壁部６ａ，６ａが形成されている。ヘッド６の開口部２ｂ近傍には、当該ヘッド６の先端面の幅方向両端部から立設される一対の壁部６ｂ，６ｂが形成されている。かかる壁部６ａ，６ｂは、清掃体１０がヘッド６の先端面から離脱するのを防止する。
【００２０】
≪清掃体≫
清掃体１０は、リール３，４間に架設される長尺部材である。リール３から引き出された清掃体１０は、ガイド部５ａを介して、開口部２ａから筐体２外に導出されている。筐体２外に露出する清掃体１０は、ヘッド６の先端面に沿って湾曲しており、開口部２ｂから筐体２内に導入され、ガイド部５ｂを介して、リール４に巻き取られている。
【００２１】
図２に示すように、清掃体１０は、長尺形状を呈する本体部１１と、複数の洗浄液封入体１２と、を備える。
【００２２】
≪本体部≫
本体部１１は、可撓性を有するフェルト状の布状部材である。
【００２３】
≪洗浄液封入体≫
洗浄液封入体１２は、アルコールを含有する洗浄液１２ａをカプセル１２ｂ内に封入したものである（図３参照）。洗浄液封入体１２としては、マイクロカプセル化されたアルコールが好適に使用可能であり、この場合、カプセル１２ｂとしては、可溶性フィルムによって形成された膜が用いられる。洗浄液封入体１２は、本体部１１の表面又は内部に設けられている。洗浄液封入体１２を本体部１１の表面に設ける場合には、接着等の手法が好適に用いられる。
【００２４】
＜使用例＞
図３に示すように、使用者は、清掃装置１の筐体２を把持した状態で、筐体２から露出した清掃体１０を対象物Ｘへ押し付ける。続いて、使用者は、清掃装置１を、開口部２ｂから開口部２ａへの方向へ移動させる。これにより、清掃体１０は、リール３から引き出されてヘッド６上を通過し、リール４に巻き取られる方向へ移動する。
【００２５】
ここで、清掃体１０が対象物Ｘへ押し付けられた部位において、洗浄液封入体１２のカプセル１２ｂは、ヘッド６と対象物Ｘとによって挟む込まれることによって破裂し、洗浄液封入体１２内の洗浄液１２ａは、清掃体１０の本体部１１に浸み込む。洗浄液１２ａが浸み込んだ清掃体１０は、リール３側からリール４側へと移動することによって、対象物Ｘの表面を清掃する。
【００２６】
本実施形態において、洗浄液封入体１２は、清掃体１０の本体部１１の表面であって、対象物Ｘと当接する側、かつ、リール３，４に巻回されている部位においては径方向内側に設けられている。かかる構成によると、洗浄液１２ａを清掃体１０の本体部１１の対象物Ｘ側に浸み込ませることによって、清掃能力を好適に実現することができる。また、リール３に巻回されている部位では、洗浄液封入体１２を保護することができ、リール４に巻回されている部位では、破裂したカプセル１２ｂが本体部１１から離脱することを防止することができる。
【００２７】
なお、図４に示すように、洗浄液封入体１２は、清掃体１０の本体部１１の内部に設けられている構成であってもよい。また、図示は省略するが、洗浄液封入体１２を本体部１１の表面に接着剤を用いて取り付ける場合において、かかる接着剤が本体部１１による清掃能力に影響を与えるとき（例えば、接着剤が本体部１１の表面全体に設けられているケース）には、洗浄液封入体１２は、対象物Ｘとは反対側、すなわち、本体部１１のヘッド６と当接する面に設けられる構成であってもよい。かかる場合においても、洗浄液封入体１２は、リール３，４に巻回されている部位において径方向内側に設けられる構成とすることが可能である。
【００２８】
本発明の実施形態に係る清掃体１０は、アルコールを含有する洗浄液１２ａが洗浄液封入体１２として布状の本体部１１に設けられているので、アルコールの気化を防止するとともに、アルコールを別途運搬する必要を無くすことができる。また、清掃体１０は、運搬時等に利用者がアルコールに触れることがなくなるので、安全性を向上することができる。また、清掃体１０は、清掃時には、アルコールを含有する洗浄液１２ａが洗浄液封入体１２から出て本体部１１に浸み込むので、清掃能力を好適に発揮することができる。
【００２９】
また、本発明の実施形態に係る清掃装置１は、ヘッド６が清掃体を湾曲させて対象物に押し付けることによってアルコールを含有する洗浄液１２ａを本体部１１に浸み込ませるので、利用者にアルコールが付着することを防止し、清掃能力をより好適に発揮することができる。
【００３０】
以上、本発明の実施形態について説明したが、本発明は前記実施形態に限定されず、本発明の要旨を逸脱しない範囲で適宜変形可能である。例えば、清掃体１０の本体部１１は、フェルト状の布状部材に限定されず、洗浄液１２ａが浸み込んで対象物Ｘの表面を清掃可能なものであればよい。また、洗浄液１２ａは、各種アルコール等であってもよく、その他の洗浄能力を有する液体であってもよい。また、清掃体１０は、清掃装置１に適用する場合に限定されず、プッシュ型のクリーナ等として、清掃体１０単体で対象物Ｘの表面を清掃する使用方法にも適用可能である。また、清掃装置１の構造は、前記したものに限定されず、各リール３，４の回転を補助するバネ等を備える構成であってもよい。また、清掃の対象物Ｘは、光ファイバ（の端面）に限定されず、液晶画面、鏡面等であってもよい。
【符号の説明】
【００３１】
１      清掃装置
２      筐体
３，４  リール
６      ヘッド
１０    清掃体
１１    本体部
１２    洗浄液封入体
【図１】
2020012936.tif 000003
【図２】
2020012936.tif 000004
【図３】
2020012936.tif 000005
【図４】
2020012936.tif 000006